(57)【特許請求の範囲】
【請求項１】
パンク修理液を収容する容器とその固定治具を有し、該固定治具が、前記容器を所定の方向に保持する固定部分と踏み板部分とを連結して構成したパンク修理装置を用いたパンク修理方法であって、前記パンク修理液を吐出する吐出管及び圧縮空気を取り入れる取入管を前記容器に接続し、該容器を前記固定部分に装着すると共に、前記踏み板部分の上にコンプレッサを載せることにより固定治具及び容器を固定し、タイヤに組み付けられたホイールのタイヤバルブと前記吐出管の間を注入用ホースで接続し、前記容器の取入管にコンプレッサを接続し、該コンプレッサから前記容器へ圧縮空気を供給することにより、前記容器内を加圧してパンク修理液をタイヤ内に注入することを特徴とするパンク修理方法。
【請求項２】
前記固定治具として、平面に展開可能又は折りたたみ可能な固定治具を使用することを特徴とする請求項１に記載のパンク修理方法。
【請求項３】
前記固定治具として、平板を複数回折り曲げて構成された複数の平面部材からなり、前記踏み板部分が、前記平板の端部の平面部材である固定治具を使用することを特徴とする請求項１に記載のパンク修理方法。
【請求項４】
前記固定部分として、前記複数の平面部材の一つに前記容器を挿入可能な孔を有する固定治具を使用することを特徴とする請求項３に記載のパンク修理方法。
【請求項５】
前記容器を、前記固定治具の複数の平面部材の一つからなる台座部分の上に載せて使用することを特徴とする請求項３又は４に記載のパンク修理方法。
【請求項６】
前記固定治具の固定部分の高さｈを、前記容器を所定の方向に保持したときの前記容器の高さＨの２０〜９０％にすることを特徴とする請求項１〜５のいずれかに記載のパンク修理方法。
【発明の詳細な説明】
【技術分野】
【０００１】
本発明は、パンク修理方法に関し、更に詳しくは、簡単な構成でパンク修理液収容容器を安定に固定できるようにしたパンク修理方法に関する。
【背景技術】
【０００２】
近年、車両に装着された空気入りタイヤがパンクした際に、タイヤ内にパンク修理液及び圧縮空気を注入することにより、パンクを応急的に修理すると同時にタイヤ内に空気を充填するようにしたパンク修理装置（パンク修理キット）が知られている。このようなパンク修理装置を用いることで、車両にスペアタイヤを搭載する必要がなくなるため、省資源化や車両の軽量化を図ることができる。またスペアタイヤを搭載するためのスペースを他の用途に利用することができるという利点もある。【０００３】
このパンク修理方法は、例えば図８に示すように、パンク修理液を収容した容器２にコンプレッサ１０を接続し、このコンプレッサ１０から容器２へ圧縮空気を供給することにより容器２内を加圧して、タイヤ２０に組み付けられたホイール２１のタイヤバルブ２２からパンク修理液及び圧縮空気をタイヤ内に注入するものである。ここで容器２は、パンク修理液をタイヤ内に注入している間、転倒したり、傾斜したりしないように安定した姿勢に固定されている必要がある。このため特許文献１は、容器２の外側面とコンプレッサ１０の外側面との間に面ファスナー３０を介在させることにより、容器２をコンプレッサの側面に固定することを提案している。このパンク修理方法によれば、パンク修理液をタイヤ内に注入している間、容器２を安定した姿勢で固定することができる。【０００４】
しかし、このようなパンク修理装置を用いて一度パンク修理を行うと、パンク修理液を収容した容器を新たに準備し搭載しておく必要があり、その新しい容器は、その外側面に面ファスナーを備えていなくてはならない。このため、より汎用性があり、簡単な構成のパンク修理装置及びそれを用いたパンク修理方法が求められていた。
【先行技術文献】
【特許文献】
【０００５】
【特許文献１】日本国特開２０１０−１２０２５０号公報
【発明の概要】
【発明が解決しようとする課題】
【０００６】
本発明の目的は、簡単な構成でパンク修理液収容容器を安定に固定できるようにしたパンク修理方法を提供することにある。
【課題を解決するための手段】
【０００８】
本発明のパンク修理方法は、上述したパンク修理装置を用い、前記パンク修理液を吐出する吐出管及び圧縮空気を取り入れる取入管を前記容器に接続し、該容器を前記固定部分に装着すると共に、前記踏み板部分の上にコンプレッサを載せることにより固定治具及び容器を固定し、タイヤに組み付けられたホイールのタイヤバルブと前記吐出管の間を注入用ホースで接続し、前記容器の取入管にコンプレッサを接続し、該コンプレッサから前記容器へ圧縮空気を供給することにより、前記容器内を加圧してパンク修理液をタイヤ内に注入することを特徴とする。
【発明の効果】
【００１３】
本発明のパンク修理方法は、パンク修理液を収容する容器とその固定治具を有し、該固定治具が、前記容器を所定の方向に保持する固定部分と踏み板部分とを連結して構成したパンク修理装置を使用し、パンク修理液収容容器を安定に固定して、パンク修理液をコンプレッサから供給された圧縮空気と共に、タイヤ内部に注入することができるので、パンク修理を容易にかつ確実に行うことができる。【００１４】
前記固定治具として、平面に展開可能又は折りたたみ可能な固定治具を使用することがが好ましく、固定治具の容積を小さくすることができる。【００１５】
前記固定治具として、平板を複数回折り曲げて構成された複数の平面部材からなり、前記踏み板部分が前記平板の端部の平面部材である固定治具を使用することができる。また前記固定部分として、前記複数の平面部材の一つに前記容器を挿入可能な孔を有する固定治具を使用することができる。さらに前記容器を、前記固定治具の複数の平面部材の一つからなる台座部分の上に載せて使用することができる。【００１６】
前記固定治具の固定部分の高さｈを、前記容器を所定の方向に保持したときの前記容器の高さＨの２０〜９０％にするとよく、パンク修理時に容器内のパンク修理液の量が少なくなっても、容器を安定して固定することができる。
【図面の簡単な説明】
【００１７】
【図１】図１（ａ）〜（ｄ）は本発明のパンク修理装置の実施形態を例示する斜視図であり、図１（ａ）は容器、図１（ｂ）は固定治具、図１（ｃ）は容器を固定治具に装着した形態、図１（ｄ）は固定治具を他の物体で固定した形態の概要である。
【図２】図２（ａ）〜（ｃ）は本発明を構成する固定治具の実施形態を例示する斜視図であり、図２（ａ）は使用時、図２（ｂ）は展開時、図２（ｃ）は折りたたみ時の形態の概要である。
【図３】図３（ａ）〜（ｆ）は本発明のパンク修理装置の実施形態の他の例を示す斜視図である。
【図４】図４（ａ）〜（ｃ）は本発明のパンク修理装置の実施形態のさらに他の例を示す斜視図である。
【図５】図５（ａ）〜（ｄ）は本発明のパンク修理装置の実施形態のさらに他の例を示す斜視図である。
【図６】図６（ａ）〜（ｄ）は本発明のパンク修理装置の実施形態のさらに他の例を示す斜視図である。
【図７】図７は本発明のパンク修理方法の実施形態を例示する模式図である。
【図８】図８は従来のパンク修理方法の実施形態を示す模式図である。
【発明を実施するための形態】
【００１８】
本発明のパンク修理方法に使用するパンク修理装置（以下、「パンク修理装置」という。）は、少なくともパンク修理液を収容する容器と、この容器を装着する固定治具からなる。またパンク修理を行うとき使用するコンプレッサ等の機器及び各種ホース、キャップ、接続管等の部品を備えることができる。
【００１９】
図１（ａ）〜（ｄ）は本発明のパンク修理装置の構成を例示する説明図である。
【００２０】
図１（ａ）は、パンク修理液を収容する容器２を示す。容器２は、気密性、耐薬品性及び耐圧性が高い容器であれば、パンク修理液を収容するために通常用いられるものを使用することができる。容器２は、開口部をシール部材等で封止された状態で車両に搭載され、パンク修理液の注入作業を行うとき、シール部材を剥がしパンク修理液を吐出する吐出管及び圧縮空気を取り入れる取入管を開口部に接続して使用する。
【００２１】
図１（ｂ）において、固定治具３は、容器２を所定の方向に保持する固定部分４と踏み板部分５とを連結して構成される。固定部分４には、そのほぼ中央部に容器２を装着するための孔６が形成されている。また固定部分４は、容器２を載せる台座部分７を有することができる。台座部分７の上に容器２を載せることにより、容器２をより安定して固定することができる。踏み板部分５は、平板状に形成され、その上にコンプレッサ等の他の物体を載せることができるようになっている。
【００２２】
固定治具３を形成する材料は、特に限定されるものではなく、例えば金属、樹脂、紙等からなるシートや平板を例示することができる。なかでも厚紙や段ボール等の紙類が好ましい。またこれらの紙類をコーティングすることにより、雨天時や濡れた路面上での作業を容易に行うことができる。
【００２３】
図１（ｃ）において、容器２が固定治具３の固定部分４に装着され、台座部分７の上に載せられ、所定の方向に保持される。図１（ｃ）の例は、容器２の開口部を上にしてほぼ直立するように保持したものであるが、容器２を保持する方向はこの例に限定されるものではない。例えば容器２の開口部を下にした略垂直方向、或いは略水平方向、ある角度に傾いた傾斜方向であってもよく、パンク修理液を効率的に吐出可能な方向に保持することができる。
【００２４】
固定治具３に装着された容器２は、図１（ｄ）に例示するように、固定治具３の踏み板部分５の上にコンプレッサ１０等の他の物体を載せることにより容易かつ確実に固定できる。他の物体としては、コンプレッサに限定されるものではなく、踏み板部分５の上に載せて固定治具３及び容器２を固定するのに足りる自重があるものであればよい。このような他の物体として例えば車両に搭載された工具類や工具入れ、或いは作業を行う付近にあるブロックや大きめの石等を使用することができる。またパンク修理液を注入する間、作業者が踏み板部分５を足で踏んで固定してもよい。
【００２５】
本発明において、固定治具は図２（ａ）〜（ｃ）に示すように、平面に展開可能又は折りたたみ可能であることが好ましく、車両に搭載しておくときのスペースを小さくすることができる。図２（ａ）は固定治具３を使用するときの形態である。図２（ｂ）は、図２（ａ）の固定治具３を平面に展開したときの形態であり、さらに矢印の方向にそれぞれ折ることにより、図２（ｃ）に示すように、コンパクトに折りたたむことができる。
【００２６】
固定治具３としては、図２（ｂ）に示すように、１枚の平板を複数回折り曲げて構成された複数の平面部材から構成することができる。このとき踏み板部分５を、平板の片方の端部の平面部材にすることができる。これら複数の平面部材の一つに孔６をあけることにより、容器を挿入可能にすることができる。孔６をあける平面部材は、踏み板部分５になる平面部材とは別の平面部材であって、孔６をあける平面部材と踏み板部分５になる平面部材との間に、１以上の他の平面部材があるようにするとよい。また後述する図４（ａ）や図４（ｃ）のように、孔６をあける平面部材を、踏み板部分５とは反対側の平板の端部の平面部材にすることができる。
【００２７】
また図示の例では、複数の平面部材のうち、踏み板部分５とは反対側の平板の端部を台座部分７にしている。台座部分７になる平面部材は、平板の端部に限定されるものではなく、例えば後述する図４（ｃ）のように、一つの平面部材の端部側を踏み板部分５とし、内側の残部を台座部分７にすることができる。
【００２８】
本発明の固定治具は、図１（ｂ）に示す固定部分４の高さｈが、所定の方向に保持したときの容器２の高さＨに対し、好ましくは２０〜９０％、より好ましくは４０〜６５％であるとよい。固定部分４の高さｈが、容器高さＨの２０％未満であると、容器２内の修理液の量が多いとき、すなわちパンク修理液の注入の初期段階で容器２を安定して保持することができない虞がある。また固定部分４の高さｈが、容器高さＨの９０％を超えると、容器２内の修理液の量が少ないとき、すなわちパンク修理液の注入の最終段階で容器２を安定して保持することができない虞がある。
【００２９】
なお容器２の高さＨは、図１（ａ）に示すように、容器２を所定の方向に保持するときの容器高さである。容器２を保持する所定の方向は上述した通りであり、例えば円筒型の容器２を略水平に保持するときは、その外径が高さになる。
【００３０】
図３〜図６は、本発明のパンク修理装置の他の実施形態として、容器２を固定部分４に装着した概要を例示するものであり、踏み板部分５の上に載せたコンプレッサを２点鎖線で表わしている。
【００３１】
図３（ａ）は、図１（ｃ）のパンク修理装置において、踏み板部分５の突出方向の長さを短くした例である。また図３（ｂ）は、踏み板部分５の突出方向の長さを更に短くした例である。図３（ｃ）は、図１（ｃ）のパンク修理装置１において、踏み板部分５の幅を狭くした例である。また図３（ｄ）は、幅を狭くした踏み板部分５を二枚配置した例である。いずれの場合も、踏み板部分５にコンプレッサ等の他の物体を載せることにより、パンク修理液を注入する間、容器２を安定して保持することができる。
【００３２】
本発明において、踏み板部分５の面積は、特に限定されるものではないが、例えば容器２の底面積に対し好ましくは３０％以上、より好ましくは１００〜３００％であるとよい。踏み板部分５の面積を３０％以上にすることにより、固定治具及び容器を安定して固定することができる。
【００３３】
図３（ｅ）は、図１（ｃ）のパンク修理装置において、固定部分４の高さｈを高くした例であり、図３（ｆ）は、固定部分４の高さｈをさらに高くした例である。
【００３４】
図４（ａ）及び（ｂ）のパンク修理装置は、図１（ｃ）のパンク修理装置の固定部分４の形状を簡略化した例である。これらの例は、図１（ｃ）の固定部分４の台座部分７をなくした固定治具３を表す。このような簡略化した形状にすることにより、固定治具３を軽量化することができる。また折りたたんだときの容積をより小さくすることができる。
【００３５】
また図４（ｃ）では、固定部分４の上側の部材をコンプレッサの上側の面に載せた例であり、コンプレッサの側面と固定部分４の側面の間に容器２を挟むことにより、容器２を安定して保持することができる。またこの実施形態は、上述した通り、平板の片方の端部の平面部材を踏み板部分５及び台座部分７が共用しており、踏み板部分５が端部側、台座部分７が内側の平面部材を占めている。
【００３６】
図５（ａ）のパンク修理装置は、固定部分４の形状を箱状に形成した例であり、図５（ｂ）は、固定部分４の形状を枠状に形成した例である。また図５（ｃ）のパンク修理装置は、固定部分４として、容器２を装着するための孔を備えた上面側の部材と、踏み板部分５として、底面側の部材とを有し、固定部分４と踏み板部分５が向かい合うように配置されている。踏み板部分５の上にコンプレッサを載せ、固定部分４の孔に差し入れた容器２をコンプレッサの上に載せることにより、容器２を安定して保持することができる。図５（ｄ）のパンク修理装置は、図５（ｃ）の変形例であり、孔を有する上面側の部材と踏み板部分５との間に、容器２を載せる支持部材を設けた例である。
【００３７】
図６（ａ）のパンク修理装置は、固定部分４の形状を、容器２の外周を両側から覆うように、外周に沿って湾曲した支持部材で構成した例である。図６（ｂ）のパンク修理装置は、１枚の平板の一方の側を固定部分４、他方の側を踏み板部分５とし、固定部分４の平板に容器２の外径が嵌まる円筒型の突部からなる保持枠を配置した例である。また図６（ｃ）のパンク修理装置は、１枚の平板の一方の側を固定部分４、他方の側を踏み板部分５とし、固定部分４の平板に容器２の外周に複数の棒状の突部を上方に向けて配置した例である。いずれの場合も容器２を安定して固定することができる。図６（ｄ）のパンク修理装置は、図６（ｂ）のパンク修理装置において、固定治具３の幅を狭くした変形例である。
【００３８】
図７は、本発明のパンク修理方法の実施形態を例示する模式図である。
【００３９】
パンク修理方法では、先ず容器２の開口部を封止したシール部材を剥がし、取入管１１及び吐出管１２を装着する。取入管１１は、コンプレッサと接続し、圧縮空気を容器２の内部に取り入れる管である。吐出管１２は、容器２の内部から外部へパンク修理液を圧縮空気と共に排出する管である。
【００４０】
またタイヤ２０に組み付けられたホイール２１のタイヤバルブ２２と吐出管１２の間を注入用ホース２３で接続し、コンプレッサ１０と取入管１１の間を加圧用ホース２４で接続する。
【００４１】
次いで容器２を固定治具の固定部分４に所定の方向になるように、孔に挿入し台座部分７の上に載せるように装着する。また、固定治具の踏み板部分５の上にコンプレッサ１０を載せて固定する。コンプレッサ１０のコード１４の先端のプラグ１３を外部電源に接続し、コンプレッサ１０を作動させる。
【００４２】
コンプレッサ１０の作動により圧縮空気が、加圧用ホース２４及び取入管１１を通り、容器２の内部へ圧入される。これにより容器２の内部が加圧されるので、パンク修理液及び圧縮空気が、吐出管１２、注入用ホース２３及びタイヤバルブ２２を通って、タイヤ２０の内部へ注入される。
【００４３】
本発明の方法では、容器２を固定治具３に装着することにより、注入開始時に容器２内のパンク修理液の量が多いときから、注入終了時に容器２内のパンク修理液がほどんどなくなるときまで、容器２を所定の方向に保持するので、パンク修理液を安定して注入することができる。
【実施例】
【００４４】
実施例１
図１に示したパンク修理装置を使用し、図７に示したパンク修理方法を実施した。パンク修理液収容容器は、肉厚が約２．０ｍｍのプラスチック製で、パンク修理液の容量は４５０ｍｌである。固定治具は、固定部分の高さｈを容器高さＨの４０％、踏み板部分の面積を容器の底面積の１５０％にし、表面がポリプロピレンでコーティングされたコーティングされた厚紙（厚さ約０．７ｍｍ）により形成した。踏み板部分の上にコンプレッサ（重さ約８００ｇ）を載せることにより、パンク修理液収容容器を上向きに固定した。【００４５】
雰囲気温度２３℃の作業環境において、タイヤサイズ２１５／６０Ｒ１６の空気入りタイヤの空気圧（ゲージ圧）を０．０ｋＰａに調節し、コンプレッサから供給される圧縮空気（ゲージ圧力：４００ｋＰａ）を上向きに固定したパンク修理液収容容器に供給し、容器内のパンク修理液を圧縮空気と共にタイヤ内に注入した。その結果、約２５秒で注入を完了した。パンク修理液の注入開始から完了まで、容器及び固定治具を安定して固定し、パンク修理液を容易にかつ安定して注入することができた。【００４６】
実施例２
固定治具の固定部分の高さｈを容器高さＨの６０％にしたことを除き、実施例１と同様にしてパンク修理液の注入を実施した。その結果、約２６秒で注入を完了した。パンク修理液の注入開始から完了まで、容器及び固定治具を安定して固定し、パンク修理液を容易にかつ安定して注入することができた。
【符号の説明】
【００４７】
１    パンク修理装置
２    容器
３    固定治具
４    固定部分
５    踏み板部分
６    孔
７    台座部分
１０  コンプレッサ
１１  取入管
１２  吐出管
２０  タイヤ
２１  ホイール
２２  タイヤバルブ
２３  注入用ホース
２４  加圧用ホース
【図１】
0006040984.tif 000002
【図２】
0006040984.tif 000003
【図３】
0006040984.tif 000004
【図４】
0006040984.tif 000005
【図５】
0006040984.tif 000006
【図６】
0006040984.tif 000007
【図７】
0006040984.tif 000008
【図８】
0006040984.tif 000009